(57)【要約】  【課題】単一のデスクを用いて、パーソナルワークに適したスペースと、ミーティングに適したスペースとを確保することが可能な家具システムを提供する。  【解決手段】複数人が横並びで使用可能な幅寸法及び複数人が対面して使用可能な奥行き寸法を有するデスク２と、このデスク２を幅方向に仕切ってデスク２の幅方向一端側にミーティングスペースを形成する床上自立式のミーティングスペース形成パネル５とを備えた家具システム１とした。【選択図】図１
2010004961.tif 000002
【特許請求の範囲】
【請求項１】
複数人が横並びで使用可能な幅寸法及び複数人が対面して使用可能な奥行き寸法を有するデスクと、
このデスクを幅方向に仕切って該デスクの幅方向一端側にミーティングスペースを形成する床上自立式のミーティングスペース形成パネルとを備えていることを特徴とする家具システム。
【請求項２】
さらに、前記ミーティングスペース形成パネルを前記デスクに該デスクの幅方向に固定位置変更可能に取り付ける取付具を備えている請求項１記載の家具システム。
【請求項３】
前記ミーティングスペース形成パネルが、前記デスクの天板上の領域を仕切り得る天板仕切部分、及び天板仕切部分に連続し床面上における着座者の側方領域を仕切り得る一対の床面仕切部分を一体又は一体的に有するパネル本体を備えたものであり、
前記取付具が、前記天板仕切部分と各床面仕切部分との境界部位又は境界部位近傍にそれぞれ設けられ、前記天板の下方から天板を押圧し得る押圧部を備えたものである請求項２記載の家具システム。
【請求項４】
前記取付具が、前記パネル本体のうち、前記天板仕切部分の下端部を該パネル本体の厚み方向に挟持し得る一対の挟持部を備えたものである請求項３記載の家具システム。
【発明の詳細な説明】
【技術分野】
【０００１】
本発明は、複数人が使用可能な大型のデスクを備えた家具システムに関するものである。
【背景技術】
【０００２】
従来から、複数の作業者が利用できるようにしたいわゆるフリーアドレス型の大型のデスクを主体としてなる家具システムが知られている。このような家具システムは、デスクトップパネルやサイドパネルをデスクの天板上に配置可能に構成されており、天板上の領域をその奥行き方向や幅方向に沿ってパーソナルワークに適した複数のワークスペースに分割し、組織によって異なる使用態様にも柔軟に対応できるようにしている（例えば、下記特許文献１参照）。
【特許文献１】特開２００８−１１９４１２号公報
【発明の開示】
【発明が解決しようとする課題】
【０００３】
ところで、上述したような従来の家具システムでは、デスクトップパネルやサイドパネルを取り付けてパーソナルワークに適したスペースを複数形成することができる一方で、複数人が一堂に会して行う会議やプレゼンテーション等（以下、これらを総称して「ミーティング」と称す）は、専用の別室で行われることが通例であった。そのため、オフィス内に上述した家具システムを導入する場合には、この家具システムを配する空間とは別に、ミーティングに適したスペースを確保しなければならず、オフィス内の効率的な省スペース化を図ることができないという不具合があった。
【０００４】
本発明は、このような課題に着目してなされたものであって、主たる目的は、単一のデスクを用いて、パーソナルワークに適したスペースと、ミーティングに適したスペースとを確保することが可能な家具システムを提供することにある。
【課題を解決するための手段】
【０００５】
すなわち、本発明の家具システムは、複数人が横並びで使用可能な幅寸法及び複数人が対面して使用可能な奥行き寸法を有するデスクと、このデスクを幅方向に仕切って該デスクの幅方向一端側にミーティングスペースを形成する床上自立式のミーティングスペース形成パネルとを備えていることを特徴とする。
【０００６】
このようなものであれば、ミーティングスペース形成パネルによりデスクの幅方向一端側にミーティングに適したミーティングスペースを形成することができ、オフィス内に本発明の家具システムを導入する場合には、この家具システムを配する空間とは別に、ミーティングに適したスペースを確保する必要がなく、オフィス内の効率的な省スペース化を有効に図ることができる。さらに、ミーティングスペース形成パネルが床上に自立可能なものであるため、ミーティングスペース形成パネルによってデスクの天板上のみならず床面上をも仕切ることができ、デスクの幅方向他端側にパーソナルワークに適したスペースを形成した場合には、このパーソナルワークに適したスペースとデスクの幅方向一端側に形成されるミーティングスペースとを明確に仕切ることができる。
【０００７】
さらに、前記ミーティングスペース形成パネルを前記デスクに該デスクの幅方向に固定位置変更可能に取り付ける取付具を備えていれば、デスクの幅方向に沿ったミーティングスペースの広さを変更することが可能となり、種々の使用態様にも柔軟に対応させることができる。
【０００８】
特に、前記ミーティングスペース形成パネルが、前記デスクの天板上の領域を仕切り得る天板仕切部分、及び天板仕切部分に連続し床面上における着座者の側方領域を仕切り得る一対の床面仕切部分を一体又は一体的に有するパネル本体を備えたものであり、前記取付具が、前記天板仕切部分と各床面仕切部分との境界部位又は境界部位近傍にそれぞれ設けられ、前記天板の下方から天板を押圧し得る押圧部を備えたものであれば、天板仕切部分と一対の床面仕切部分とを一体又は一体的に有する大型のパネル本体であっても、天板仕切部分と各床面仕切部分との境界部位又は境界部位近傍に設けた取付具の押圧部を利用して天板の下方から天板を押圧することによってパネル本体を天板に強固に固定することにより、天板に対するパネル本体の不意なガタツキや位置ずれを防止することができ、ミーティングスペース形成パネル全体の取付強度を高めることができ、安定した設置状態を実現することができる。
【０００９】
また、前記取付具が、前記パネル本体のうち、前記天板仕切部分の下端部を該パネル本体の厚み方向に挟持し得る一対の挟持部を備えたものであれば、一対の挟持部によって天板仕切部分の下端部を該パネル本体の厚み方向に挟持することにより、天板仕切部分の不意な転倒を防止することができ、天板仕切部分、ひいてはパネル本体全体の良好な起立姿勢を維持することができる。
【発明の効果】
【００１０】
以上説明したように本発明によれば、単一のデスクを用いて、パーソナルワークに適したスペースと、ミーティングに適したスペースとを確保することが可能な家具システムを提供することができる。
【発明を実施するための最良の形態】
【００１１】
以下、本発明の一実施形態を、図面を参照して説明する。
【００１２】
本実施形態に係る家具システム１は、例えば図１及び図２に示すように、複数人が横並びで使用可能な幅寸法及び複数人が対面して使用可能な奥行き寸法を有するデスク２を主体としてなる。なお、図２は、図１に示す家具システム１の平面図を一部省略して模式的に示したものである。
【００１３】
デスク２は、例えば自席が限定されない所謂フリーアドレス型のオフィス等において用いられる大型のものであり、天板２１と、この天板２１を支持する支持構造体２２とを備えたものである。
【００１４】
天板２１は、図１に示すように、天板要素２１１を複数用いて構成したものである。具体的には、平面視矩形状をなす天板要素２１１を４つ用い、そのうち２枚ずつの天板要素２１１を一組としてそれらの反使用端２１１ｂ同士を向き合わせて配置し、その天板要素２１１の組を隣接させて配置することで、天板２１全体の奥行き方向中央部に各天板要素２１１の反使用端２１１ｂを集合させ、且つ奥行き方向両端部に各天板要素２１１の使用端２１１ａを位置付けている。つまり、天板２１の奥行き方向両端部が何れも使用端となる。なお、天板２１全体の奥行き方向に対をなす天板要素２１１の反使用端２１１ｂ同士の間に隙間を形成し、この隙間を、天板２１の下方空間に配置した図示しない配線ダクトの配線空間に連通させている。また、図１では、デスク２の幅方向一端側にエンドパネル２３を設けた態様を例示しているが、このエンドパネル２３は用途に応じて取り外し可能なものである。
【００１５】
支持構造体２２は、起立姿勢で配され左右一対をなすパネル状の脚体（以下、「パネル脚２２１」と称す）と、一対のパネル脚２２１同士の略中間位置に配される中間脚(図示省略)と、各パネル脚２２１と中間脚との間に横架させた梁フレーム(図示省略)とを備えたものである。
【００１６】
このような構成をなすデスク２の奥行き方向中央位置にデスクトップパネル３を取付可能に構成し、また、デスクトップパネル３を利用してサイドパネル４を取付可能に構成している。
【００１７】
デスクトップパネル３は、天板２１全体の奥行き方向中央位置に配されるものである。デスクトップパネル３は、デスクトップパネル本体３１と、デスクトップパネル本体３１を支持し且つ前記天板要素２１１の反使用端２１１ｂ同士の間に設けた図示しない支柱取付部に取付可能な左右一対のパネル支柱３２とを備えたものである。本実施形態では、天板要素２１１の幅寸法と同一又は略同一の幅寸法に設定した単一のデスクトップパネル３をデスク２に取り付け、デスク２の幅方向一端側の領域は、デスクトップパネル３が配されてない領域となる（図２参照）。
【００１８】
サイドパネル４は、天板２１上に起立姿勢で配され天板２１上の領域を仕切り得る天板仕切部分４１Ａ、及び床面Ｆ上に起立姿勢で配され床面Ｆ上における着座者の側方領域を仕切り得る床面仕切部分４１Ｂを一体に有する側面視Ｌ字形又は略Ｌ字形に形成されたサイドパネル本体４１と、サイドパネル本体４１のうち天板仕切部分４１Ａ側の側端部に設けられデスクトップパネル３に接続可能な接続部（図示省略）と、サイドパネル本体４１のうち床面仕切部分４１Ｂの下端部に設けられ床面Ｆに接地する接地部４２と、サイドパネル本体４１のうち天板仕切部分４１Ａと床面仕切部分４１Ｂとの境界部位に設けられ該サイドパネル本体４１を天板２１に固定するための固定部４３を備えたものである。そして、デスクトップパネル３とサイドパネル４によって仕切られたスペースを、パーソナルワークに適したワークスペースとして活用できるようにしている。
【００１９】
しかして、本実施形態の家具システム１は、デスク２を幅方向に仕切って該デスク２の幅方向一端側にミーティングスペースを形成する床上自立式のミーティングスペース形成パネル５を取付可能に構成している。なお、前述したように、デスク２の幅方向一端側にはデスクトップパネル３は配されていない。
【００２０】
ミーティングスペース形成パネル５は、図３〜図６（図４は図３のＰ領域拡大図であり、図５は図４のＸ―Ｘ線断面を一部省略して示す図であり、図６は図３のＱ領域拡大図である）に示すように、天板２１上に起立姿勢で配され天板２１上の領域を仕切り得る天板仕切部分５１Ａ、及び天板仕切部分５１Ａに連続し床面Ｆ上に起立姿勢で配され床面Ｆ上における着座者の側方領域を仕切り得る一対の床面仕切部分５１Ｂを有する門型状又は略門型状に形成されたパネル本体５１を主体としてなる。
【００２１】
パネル本体５１は、天板２１の奥行き寸法よりも若干大きい幅寸法を有する単一の天板仕切部分５１Ａを有し、この天板仕切部分５１Ａの両側端部にそれぞれ床面仕切部分５１Ｂを図示しない適宜の締め付け機構等を介して一体的に組み付けている。なお、パネル本体５１の幅方向とは、天板２１の奥行き方向に一致する方向を指す。本実施形態では、この組付状態において天板仕切部分５１Ａと床面仕切部分５１Ｂとの間に高さ方向に延びる目地５１ａが表れるようにしてある。天板仕切部分５１Ａ及び各床面仕切部分５１Ｂは、それぞれ一体構造をなすフレームにより側面視矩形状又は略矩形状の骨格を形成し、各フレームの両面にそれぞれ化粧面を設けている。なお、化粧面としては、ピン等が差し込み可能なクロスタイプや、チョーク又はペン等で描画可能なボードタイプ、或いはマグネットタイプやハンギングタイプ等が挙げられ、これらのうちから、業務内容や使用態様に応じて適宜選択すればよい。また、化粧面がスクリーンとして利用可能なものであってもよい。パネル本体５１の上端部は全幅に亘って同一高さ位置である一方で、天板仕切部分５１Ａの下端部が床面仕切部分５１Ｂの下端部よりも上方に位置する。各床面仕切部分５１Ｂの下端部には、床面Ｆに接地する接地部５２を設けている。本実施形態では、各床面仕切部分５１Ｂの下端部に、アジャスタ機能を有する一対の接地部５２を設けている。各床面仕切部分５１Ｂの幅寸法を、前記サイドパネル４の床面仕切部分４１Ｂの幅寸法よりも大きく設定している（図１及び図２参照）。
【００２２】
さらに、本実施形態に係る家具システム１は、ミーティングスペース形成パネル５をデスク２に該デスク２の幅方向に固定位置変更可能に取り付ける取付具６を備えている。
【００２３】
取付具６は、天板仕切部分５１Ａと各床面仕切部分５１Ｂとの境界部位又は境界部位近傍にそれぞれ設けられている。各取付具６は、天板２１の下方に潜り込み雌ネジ６１ａを切ったベース６１と、前記雌ネジ６１ａに下方からねじ込み可能なねじ込み部材６２と、ねじ込み部材６２の先端部に、このねじ込み部材６２に対して空転可能に支持され、且つねじ込み部材６２の螺進退動作に伴って上下動することにより天板２１の下面に対して接離し、天板２１の下面を押圧し得る押圧部６３とを備えものである。そして、ねじ込み部材６２をねじ込んで押圧部６３を上方へある程度移動させた際に、この押圧部６３と後述するベース６１の支持部６１１とによって天板２１を挟持することが可能となる。すなわち、この取付具６はクランプ機能を発揮し得るものである。
【００２４】
各ベース６１は、例えば単一の板金を折り曲げ成形したものであり、パネル本体５１のうち天板仕切部分５１Ａの下端部と天板２１との間に介在し、天板仕切部分５１Ａを支持し得る支持部６１１と、支持部６１１の先端から垂下し天板２１の使用端に当接又は近接し得る当たり部６１２と、当たり部６１２の下縁から前方に延び先端部側に偏位した幅方向中央位置に雌ネジ６１ａを切った潜り込み部６１３と、支持部６１１の先端部における両縁から起立し、天板仕切部分５１Ａの下端部を該パネル本体５１の厚み方向に挟持し得る一対の挟持部６１４とを備えたものである。支持部６１１は、各天板２１要素の奥行き寸法に相当する長手寸法を有し、基端部側に上方突出上方突出ピン６１ｂを起立姿勢で一体的に設けている。上方突出ピン６１ｂは、図６に示すように、パネル本体５１のうち天板仕切部分５１Ａの幅方向中央部位における下端部に下方に開口させたピン挿入孔５１ｂに挿入可能なものである。したがって、パネル本体５１の天板仕切部分５１Ａは、各ベース６１の上方突出ピン６１ｂをピン挿入孔５１ｂに挿入させることによって取付具６に対する該天板仕切部分５１Ａの幅方向中央部位の位置決めがなされ、各ベース６１の対をなす挟持部６１４によって取付具６に対する該天板仕切部分５１Ａの幅方向両端部位の位置決めがなされる。なお、図示しないビスを用いてパネル本体５１と各取付具６とを一体的に取り付けても構わない。また、対をなす挟持部６１４は、相互に対面し且つパネル本体５１に接触し得る面にそれぞれ例えばクッションシート等の緩衝用シート６１４ａを貼り付けている（図５参照、なお図５ではミーティングスペース形成パネル５を想像線で示している）。
【００２５】
ねじ込み部材６２は、潜り込み部６１３の雌ネジ６１ａにねじ合わせ可能な軸部６２１と頭部６２２とを備えてなり、この頭部６２２を直接摘んで、或いは頭部６２２に設けた工具差込用孔にドライバ等の工具を差し込んでねじ回すことによって、ベース６１、より具体的には潜り込み部６１３に対して上下方向に進退動作するものである。なお、操作性の向上という観点から、頭部６２２に図示しないグリップを設け、グリップを把持して回すことにより、ベース６１、特に潜り込み部６１３に対して上下方向に進退動作させるようにしてもよい。なお、本実施形態では、ねじ込み部材６２として、軸部６２１の先端部が尖っている尖り先ねじを適用している。
【００２６】
押圧部６３は、平板状をなす金属製のものであり、幅方向中央位置に厚み方向に貫通する小孔６３１を設けている。この小孔６３１は、ねじ込み部材６２の先端部の一部のみが入り込み得る開口径に設定され、さらに、ねじ込み部材６２の先端部を小孔６３１に入り込ませた状態でねじ込み部の先端部が小孔６３１内に収まる、換言すれば、ねじ込み部材６２の先端部が押圧部６３の上面よりも上方に突出しないように設定している。
【００２７】
このような構成をなすミーティングスペース形成パネル５は、パネル本体５１のうち各床面仕切部分５１Ｂの下端部に設けた接地部５２を床面Ｆに接地させるとともに、天板仕切部分５１Ａを取付具６の支持部６１１に支持させ且つ各取付具６の対をなす挟持部６１４によって挟持させることにより、安定した自立姿勢の状態でデスク２に仮置きすることができる。この仮置き状態において、各取付具６の当たり部６１２が天板２１の使用端に当接又は近接する。なお、このミーティングスペース形成パネル５は、上述したようにデスク２のうちデスクトップパネル３が配されてない部位における任意の位置に取り付けることが可能なものである。すなわち、このミーティングスペース形成パネル５は、デスク２に対する取付位置を、デスク２のうちデスクトップパネル３が配されてない領域において該デスク２の幅方向に沿って自在に変更可能なものである（図２参照）。
【００２８】
そして、ミーティングスペース形成パネル５をデスク２に固定するには、仮置きした状態で天板２１の下方に配される各前記ベース６１の潜り込み部６１３に予め螺合させて保持させているそれぞれのねじ込み部材６２を正方向に回転させる操作力を付与する。この操作力によってねじ込み部材６２が潜り込み部６１３の雌ネジ６１ａに螺合しながら上方へ移動し、これに伴ってねじ込み部材６２の先端に空転可能に支持させた押圧部６３が上方へ移動する。ある程度ねじ込み部材６２が上方へ移動した時点で押圧部６３が天板２１の下面に当接し、さらにねじ込み部材６２を正方向に回転させる操作力を付与することによって、押圧部６３が天板２１の下面を押圧し、この押圧部６３と、ベース６１の支持部６１１とによって天板２１をその厚み方向に挟持する。このように、押圧部６３と支持部６１１とによって天板２１をその厚み方向に締め付けて挟持することにより、ミーティングスペース形成パネル５をデスク２に固定することができる。固定状態において、天板２１の使用端と床面仕切部分５１Ｂとの間には、ベース６１の当たり部６１２が介在するため、高さ寸法の差異により外見上で床面仕切部分５１Ｂと区別される天板仕切部分５１Ａのうち、平面視においてベース６１の当たり部６１２と重なる領域は、実際には天板２１上に配されない。つまり、本実施形態では、天板仕切部分５１Ａと床面仕切部分５１Ｂとを外見上高さ寸法が大きく変わる部分で区切っており、平面視においてベース６１の当たり部６１２と重なり、天板２１上には配されない部分も含めて「天板仕切部分５１Ａ」としている。
【００２９】
このようにしてデスク２に固定したミーティングスペース形成パネル５の取付位置を変更するには、先ず、各ねじ込み部材６２を逆方向に回転させる操作力を付与し、ねじ込み部材６２を潜り込み部６１３の雌ネジ６１ａに螺合させながら下方へ移動させて、これに伴って押圧部６３も下方へ移動させる。これにより、押圧部６３と支持部６１１とによる天板２１の挟持状態が解除され、パネル本体５１がデスク２に固定されていない仮置き状態となる。この仮置き状態で、取付具６ごとパネル本体５１をデスク２の幅方向に沿って移動させることが可能となり、所望の取付位置まで移動させた時点で、再度各ねじ込み部材６２を正方向に回転させる操作力を付与することによって、上述した作用によりミーティングスペース形成パネル５をデスク２に固定することができる。
【００３０】
このように、本実施形態に係る家具システム１は、複数人が横並びで使用可能な幅寸法及び複数人が対面して使用可能な奥行き寸法を有するデスク２と、このデスク２を幅方向に仕切って該デスク２の幅方向一端側にミーティングスペースを形成する床上自立式のミーティングスペース形成パネル５とを備えたものであるため、ミーティングスペース形成パネル５によりデスク２の幅方向一端側にミーティングに適したミーティングスペースを形成することができ、オフィス内に本発明の家具システム１を導入する場合には、この家具システム１を配する空間とは別に、ミーティングに適したスペースを確保する必要がなく、オフィス内の省スペース化を有効に図ることができる。さらに、ミーティングスペース形成パネル５が床面Ｆ上に自立可能なものであるため、ミーティングスペース形成パネル５によってデスク２の天板２１上のみならず床面Ｆ上をも仕切ることができ、デスク２の幅方向他端側にパーソナルワークに適したスペースを形成した場合には、このパーソナルワークに適したスペースとデスク２の幅方向一端側に形成されるミーティングスペースとを明確に仕切ることができる。
【００３１】
さらに、ミーティングスペース形成パネル５をデスク２に該デスク２の幅方向に固定位置変更可能に取り付ける取付具６を備えているため、デスク２の幅方向に沿ったミーティングスペースの広さを変更することが可能となり、種々の使用態様に柔軟に対応させることができる。
【００３２】
特に、ミーティングスペース形成パネル５が、デスク２の天板２１上の領域を仕切り得る天板仕切部分５１Ａ、及び天板仕切部分５１Ａに連続し床面Ｆ上における着座者の側方領域を仕切り得る一対の床面仕切部分５１Ｂを一体又は一体的に有するパネル本体５１を備えたものであり、取付具６が、天板仕切部分５１Ａと各床面仕切部分５１Ｂとの境界部位又は境界部位近傍にそれぞれ設けられ、天板２１の下方から天板２１を押圧し得る押圧部６３を備えたものであるため、天板仕切部分５１Ａと一対の床面仕切部分５１Ｂとを一体又は一体的に有する大型のパネル本体５１であっても、天板仕切部分５１Ａと各床面仕切部分５１Ｂとの境界部位又は境界部位近傍に設けた取付具６の押圧部６３を利用して天板２１の下方から天板２１を押圧することによってパネル本体５１を天板２１に強固に固定することにより、天板２１に対するパネル本体５１の不意なガタツキや位置ずれを防止することができ、ミーティングスペース形成パネル５全体の取付強度を高めることができ、安定した設置状態を実現することができる。
【００３３】
また、取付具６が、パネル本体５１のうち、天板仕切部分５１Ａの下端部を該パネル本体５１の厚み方向に挟持し得る一対の挟持部６１４を備えたものであるため、一対の挟持部６１４によって天板仕切部分５１Ａの下端部を該パネル本体５１の厚み方向に挟持することにより、天板仕切部分５１Ａの不意な転倒を防止することができ、天板仕切部分５１Ａ、ひいてはパネル本体５１全体の良好な起立姿勢を維持することができる。
【００３４】
なお、本発明は、以上に詳述した実施形態に限られるものではない。
【００３５】
例えば、ミーティングスペース形成パネルとして、平面視コ字状又は略コ字状のものを適用しても構わない。このようなものであれば、ミーティングスペース形成パネルのより安定した設置状態を実現することができる。
【００３６】
取付具を備えず、ミーティングスペース形成パネルをデスクの幅方向に沿ってスライド移動可能に構成したシステム家具であっても構わない。この場合、パネル本体のうち天板仕切部分を天板に載せ置き、接地部を床面に接地させた状態で安定した自立姿勢となるミーティングスペース形成パネルであることが好ましい。
【００３７】
また、取付具として、クランプ仕様のものではなく、単純なネジ止め機構を適用してもよい。
【００３８】
取付具が、パネル本体のうち、天板仕切部分の下端部全域又は略全域を該パネル本体の厚み方向に挟持し得る一対の挟持部を備えたものであっても構わない。
【００３９】
また、ミーティングスペース形成パネルのうち天板仕切部分の幅寸法及び床面から離間寸法を適宜設定変更する、又は天板仕切部分の幅寸法及び床面から離間寸法を寸法変更可能に構成することにより、床面仕切部分を共通のものとしつつ、奥行き寸法や高さ寸法の異なるデスク（天板）にも対応できるようにしてもよい。
【００４０】
また、複数人が横並びで使用可能な幅寸法及び複数人が対面して使用可能な奥行き寸法を有するデスクであればよく、４枚以上又は４枚以下の天板要素から構成された天板を備えたデスク、或いは単一の大型の天板要素のみで構成された天板を備えたデスクであっても勿論構わない。
【００４１】
その他、各部の具体的構成についても上記実施形態に限られるものではなく、本発明の趣旨を逸脱しない範囲で種々変形が可能である。
【図面の簡単な説明】
【００４２】
【図１】本発明の一実施形態に係る家具システムの全体概略図。
【図２】図１の家具システムの平面を一部省略して模式的に示す図。
【図３】同実施形態におけるミーティングスペース形成パネルの全体図。
【図４】図４のＰ領域拡大図。
【図５】図４のＸ―Ｘ線断面を一部省略して模式的に示す図。
【図６】図４のＱ領域拡大図。
【符号の説明】
【００４３】
１…家具システム
２…デスク
２１…天板
５…ミーティングスペース形成パネル
５１…パネル本体
５１Ａ…天板仕切部分
５１Ｂ…床面Ｆ仕切部分
６…取付具
６１４…挟持部
６３…押圧部
【図１】
2010004961.tif 000003
【図２】
2010004961.tif 000004
【図３】
2010004961.tif 000005
【図４】
2010004961.tif 000006
【図５】
2010004961.tif 000007
【図６】
2010004961.tif 000008